(57)【特許請求の範囲】
【請求項１】
スケートボードのＴ字状ハンガーの両端部に車輪が装備されたトラックが、足を乗せるデッキの下面の前後に所定距離隔てて取り付けられているスケートボードと、該スケートボードの前側の前記トラックと後側の前記トラックにそれぞれ着脱自在に取り付けられる各２本の脚とを備えた椅子であって、前側の前記２本の脚と、後側の前記２本の脚は、それぞれの上端部において連結されており、それらの連結部分が前記デッキの下面にそれぞれ接した状態で、それらの連結部分から伸びる各２本の脚が、前記トラックの付け根を挟みながら前記ハンガーと前記デッキとの間を潜り抜けて前記デッキから離れる方向に反り返って下方に伸びており、前記各脚の下端を接地させてスケートボードに荷重を掛けると、前後の各脚が前記ハンガーと接する部分を支点とし、前後の各連結部分が力点又は作用点となって、前記スケートボードを支持することを特徴とする椅子。
【請求項２】
前側の前記２本の脚は、下部において、水平連結部によって連結され、後側の前記２本の脚も、下部において、水平連結部によって連結されて、それぞれ一体化されていることを特徴とする請求項１に記載の椅子。
【請求項３】
前側の前記水平連結部と、後側の前記水平連結部とは、着脱可能な連結具で連結されていることを特徴とする請求項２に記載の椅子。
【請求項４】
前側の前記２本の脚と、後側の前記２本の脚は、末広がりに形成され、前記各２本の脚で挟まれる間には、前記ハンガーと、その両端部に装備される車輪とが潜り抜けることのできるスペースが形成されている請求項１〜３の何れかに記載の椅子。
【請求項５】
前記連結具は、スケートボードに似せた細長い板と、その板の下面の前後に取り付けられて、前記各水平連結部を保持するグリッパーとを備えたものである請求項１〜４の何れかに記載の椅子。
【請求項６】
前記連結具は、連結棒の両端部に前記各水平連結部と噛み合ってそれを保持するグリッパーを備え、前記連結棒の中央には、ターンバックルが設けられている請求項１〜４の何れかに記載の椅子。
【請求項７】
前記連結具は、前記各水平連結部間に掛け渡される着脱自在なベルトである請求項１〜４の何れかに記載の椅子。
【発明の詳細な説明】
【技術分野】
【０００１】
本発明は、スケートボードを利用した椅子に関する。
【背景技術】
【０００２】
スケートボードは、遊びからスポーツとして発展し、競技人口も増加しつつあるが、ボードが８０ｃｍ余りあるため、競技を観戦するにしても、スケートボードの置き場所に困る問題がある。
【０００３】
そこで、こうしたスケートボードを使用した椅子の先行技術を調べたが、何れも車輪を支持するトラックを除去し、そこに脚を取り付けて椅子に仕立てたものに過ぎず、スケートボード自体が椅子にもなるというものは、見つかっていない。
【先行技術文献】
【非特許文献】
【０００４】
【非特許文献１】キーワードを（スケートボード、椅子）で検索したときに現れるサイトのＵＲＬは、https://www.google.co.jp/search?q=%E3%82%B9%E3%82%B1%E3%83%BC%E3%83%88%E3%83%9C%E3%83%BC%E3%83%89+%E6%A4%85%E5%AD%90&biw=1366&bih=617&tbm=isch&tbo=u&source=univ&sa=X&sqi=2&ved=0CBsQsARqFQoTCP6Kl6DtxcgCFSRQpgodYhkCWA
【発明の概要】
【発明が解決しようとする課題】
【０００５】
本発明は、この現状を変えるために発明したもので、スケートボードとして使用できるだけでなく、それが椅子にもなる新たなスケートボードを利用した椅子を提供することを課題とする。
【課題を解決するための手段】
【０００６】
本発明に係る椅子は、スケートボードのＴ字状ハンガーの両端部に車輪が装備されたトラックが、足を乗せるデッキの下面の前後に所定距離隔てて取り付けられているスケートボードと、該スケートボードの前側のトラックと後側のトラックにそれぞれ着脱自在に取り付けられる各２本の脚とを備えた椅子であって、前側の前記２本の脚と、後側の前記２本の脚は、それぞれの上端部において連結されており、それらの連結部分が前記デッキの下面にそれぞれ接した状態で、それらの連結部分から伸びる各２本の脚が、前記トラックの付け根を挟みながら前記ハンガーと前記デッキとの間を潜り抜けて反対側に反り返って下方に伸びており、前記各脚の下端を接地させてスケートボードに荷重を掛けると、前後の各脚が前記ハンガーと接する部分を支点とし、前後の各連結部分が力点又は作用点となって、前記スケートボードを支持することを特徴とする。
【発明の効果】
【０００７】
本発明によれば、スケートボードの前後のトラックにそれぞれ着脱自在に装着された各２本の脚でスケートボードが水平に支持されるから、スケートボードを椅子として使用することができるし、各２本の脚は、スケートボードから簡単に取り外せるから、スケートボードとしても使用することができる。したがって、スケートボードでありながら、椅子としても使用できるので、これまでのスケートボードの用途を広げることができる。しかも、競技を観戦する場合自宅で保管する場合にも、スケートボードが椅子になってその置き場所に困らないから、一石二鳥の便利なスケートボードとすることができる。
【図面の簡単な説明】
【０００８】
【図１】スケートボードに脚を装着するときの第一ステップの操作説明図。
【図２】上記第一ステップに続く第二ステップの操作説明図。
【図３】上記第二ステップに続く第三ステップの操作説明図。
【図４】脚がトラックに装着された状態の部分断面斜視図。
【図５】脚が装着されたスケートボードを椅子として使用するときの外観斜視図。
【図６】スケートボードを椅子として使用するときの別な外観斜視図。
【図７】前後の各脚の下端部を連結する連結具の外観斜視図。
【図８】上記連結具の他の一実施例の外観斜視図。
【図９】図６の連結具をベルトに変えて時の外観斜視図
【発明を実施するための形態】
【０００９】
以下、図面を参照しながら、本発明の一実施形態を説明する。
【００１０】
図１において、椅子N-４１は、スケートボードＢと、そのボードＢに着脱自在に装着される前側と後側の各２本の脚Ｌとを備えている。スケートボードＢは、足を乗せるデッキ１と、そのデッキ１の下面に固定される前側トラック２と後側トラック２とを備える。各トラック２は、Ｔ字状のハンガー３と、そのハンガー３を傾倒自在に支持するベースプレート４で構成され、Ｔ字状のハンガー３の両端には、車輪５が取り付けられている。
【００１１】
こうしたスケートボードＢのデッキ１には、種々の形状のものがあるが、前後の各トラック２は、ほぼ共通の構成であるから、どのようなスケートボードＢであっても、本発明の椅子N-４１にすることができる。
【００１２】
椅子N-４１を支える各２本の脚Ｌは、鉄製の丸棒で作られ、前側のトラック２に装着される２本の脚Ｌと、後側のトラック２に装着される２本の脚Ｌは、それぞれの上端部において、それらと直交する１本の鉄棒１０で連結されて、鳥居形のような連結部分１１が形成されている。なお、スケートボードＢは、基本的には前側と後側の区別がないので、図では左側を前とし、右側を後ろとしている。
【００１３】
これらの連結部分１１から伸びる各脚Ｌは、それぞれの下端部において末広がりに広がり、それらは下端部の水平連結部１２で互いに連結されて一体化されている。これにより、図１に示すように、それぞれの脚Ｌの間には、ハンガー３と、その両端部の車輪５とが潜り抜けることのできるスペースＳが形成されている。
【００１４】
また、図１に示す各脚Ｌを、図２に示すように、デッキ１の長手方向に沿うように回転させると、一体化された各脚Ｌがトラック２の根元を間に挟みながらハンガー３とデッキ１との間を潜り抜け、その状態で脚Ｌを起すと、図３に示すように、ハンガー３の車軸に沿って反対側に反り返る形状に形成されている。なお、図２、図３では、一方の脚Ｌしか示していないが、左右の脚Ｌは、対称形であるから、ここでは一方の脚Ｌのみを示している。
【００１５】
図４は、脚Ｌを起こしたときに、その脚Ｌがハンガー３と接する部分Ｐを支点とし、連結部分１１がベースプレート４とデッキ１の下面とに当たり、そこが力点又は作用点となって、スケートボードＢ全体を支える構造を示している。したがって、脚Ｌが装着されたスケートボードＢを上に向けて起こすと、図５に示すような椅子N-４１になる。即ち、脚Ｌがハンガー３と接する部分Ｐを支点とし、連結部分１１がボード１に当たって力点又は作用点となるから、ボード１に腰掛けると、該ボード１が前後の各脚Ｌで支持される。
【００１６】
なお、このままでは、両側の脚Ｌが不安定であるから、図５に示す各脚Ｌの水平連結部１２間に、図６に示すように連結具６を掛け渡して連結すると、両方の脚Ｌを安定させることができる。これにより、大人二人がスケートボードＢに乗っても、各脚Ｌはその姿勢を維持して、椅子として機能を維持することができる。もちろん、この連結具６を取り付けなくても、スケートボードＢに腰を掛けることは可能である。またカップホルダー６８は椅子として使用中にカップを置くことや連結棒６を持ち歩く際の持ち手にもなる。
【００１７】
図７は、連結具６の一実施例を示したもので、スケートボードＢに似せた細長い板６１に各脚Ｌの水平連結部１２に嵌って噛み合うグリッパー６２を取り付けたものである。このグリッパー６２は、板ばねで形成され、棒状の水平連結部１２に嵌る複数の山と谷を備え、それを板６１の前後に所定距離離して取り付けている。また、山と谷は、水平連結部１２を保持する瓢箪型に形成されているが、これに代えて、矩形の凹部を連ねたものであっても良い。この左右のグリッパー６２を両脚Ｌの水平連結部１２に嵌め込めば、図６の椅子N-４１とすることができる。
【００１８】
図８は、連結具６の他の実施例を示したもので、この実施例では、連結棒６３の両端部に各脚Ｌの水平連結部１２と噛み合ってそれを保持するＣ型のグリッパー６４を備え、連結棒６３の中央には、ターンバックル６５が設けられて、両端のグリッパー６４間の長さが自在に調整できるようにしたものである。
【００１９】
図９はこれらの連結具６に代えて、着脱自在に連結できるベルトを使用しても良い。この場合には、各水平連結部１２にベルトを掛け渡してループ状に形成し、そのベルトの両端をバックル等で連結してベルトを締め付けるようにする。そうすれば、両方の脚Ｌの広がりを拘束して、椅子N-４１として安定させることができる。また、このベルトは、図２に示すように、両脚ＬをスケートボードＢ上に折りたたんだ状態にし、その状態で、各脚ＬとスケートボードＢにベルトを巻きつけて締め付ければ、各脚Ｌがスケートボードに固定されて、持ち運びに便利な状態にすることもできる。
【符号の説明】
【００２０】
Ｂ      スケートボード
L       脚
１      デッキ
２      トラック
３      ハンガー
４      ベースプレート
５      車輪
６      連結具
１１      連結部分
１２      水平連結部
６２      グリッパー
６３      連結棒
６４      グリッパー
６５      ターンバックル
６８      カップホルダー  持ち手
N-４１      椅子
【要約】
【課題】競技用のスケートボードが椅子にもなるし、競技にも使用できる新たなスケートボードを利用した椅子を提供することを課題とする。
【解決手段】スケートボードのトラックが、足を乗せるデッキの下面前後に取り付けられているスケートボードと、該スケートボードの各トラックに着脱自在に取り付けられる各２本の脚とを備えた椅子である。一方の２本の脚と、他方の２本の脚は、それぞれの上端部において連結され、その連結部分が前記デッキの下面に接し、そこから伸びる各２本の脚が、前記ハンガーと前記デッキとの間を潜り抜け、さらに前記ハンガーに沿って反対側に反り返って下方に伸びている。これにより、スケートボードに荷重がかかると、各２本の脚がハンガーと接する部分を支点とし、各連結部分が力点又は作用点となる。
【選択図】図５【図１】
0005900999.tif 000002
【図２】
0005900999.tif 000003
【図３】
0005900999.tif 000004
【図４】
0005900999.tif 000005
【図５】
0005900999.tif 000006
【図６】
0005900999.tif 000007
【図７】
0005900999.tif 000008
【図８】
0005900999.tif 000009
【図９】
0005900999.tif 000010